(57)【要約】【課題】複数種類のアダプタージャックが不要となり、充電する際の接続操作が簡単で、安価な携帯電子機器用充電器を提供する。【解決手段】携帯電話機、携帯ゲーム機、デジタルカメラ等の携帯電子機器に充電するための携帯電子機器用充電器において、二次電池を内蔵した充電器本体２１と、充電器本体２１に設けられ、二次電池に充電するための太陽電池パネル２２と、充電器本体２１に設けられた充電ユニット２４とからなり、充電ユニット２４に、ＡＣアダプターのコネクタと接続されるＡＣコネクタ受け口２７、ＵＳＢケーブルのコネクタと接続されるＵＳＢコネクタ受け口２８、複数種類の携帯電子機器のコネクタ受け口と接続される複数の携帯電子機器用コネクタ３２，３４を設けたことを特徴とする。【選択図】図１
2010104155.tif 000002
【特許請求の範囲】
【請求項１】
携帯電話機、携帯ゲーム機、デジタルカメラ等の携帯電子機器に充電するための携帯電子機器用充電器において、
二次電池を内蔵した充電器本体と、
前記充電器本体に設けられ、前記二次電池に充電するための太陽電池パネルと、
前記充電器本体に設けられた充電ユニットとからなり、
前記充電ユニットに、ＡＣアダプターのコネクタと接続されるＡＣコネクタ受け口、ＵＳＢケーブルのコネクタと接続されるＵＳＢコネクタ受け口、複数種類の携帯電子機器のコネクタ受け口と接続される複数の携帯電子機器用コネクタを設けたことを特徴とする携帯電子機器用充電器。
【請求項２】
前記ＡＣコネクタ受け口およびＵＳＢコネクタ受け口は、前記充電ユニットの側壁から没入して設けれ、複数の携帯電子機器用コネクタは、前記充電ユニットの側壁から突出して設けられていることを特徴とする請求項１記載の携帯電子機器用充電器。
【請求項３】
前記充電ユニットの側壁から没入して設けられている前記ＡＣコネクタ受け口およびＵＳＢコネクタ受け口は、前記充電ユニットの側壁から突出している前記携帯電子機器用コネクタと隣接して設けられ、前記充電ユニットの側壁から突出して設けられている複数の携帯電子機器用コネクタは前記充電ユニットの別の側壁に設けられていることを特徴とする請求項１または２記載の携帯電子機器用充電器。
【発明の詳細な説明】
【技術分野】
【０００１】
本発明は、携帯電話機やデジタルカメラ等の携帯電子機器に充電する際に使用する携帯電子機器用充電器に関する。
【背景技術】
【０００２】
携帯電話機やデジタルカメラ等の携帯電子機器は、本体の内部にバッテリーを備えており、充電が必要になって時には専用のＡＣ充電器を使用してバッテリーに充電することが行なわれている。しかし、専用のＡＣ充電器は嵩張るため、旅行や出張等の外出時にＡＣ充電器を持ち運ぶことは煩雑である。最近では、太陽電池パネルを搭載した携帯電子機器用充電器が知られている（例えば、特許文献１参照。）。
【０００３】
特許文献１に示す携帯電子機器用充電器は、直方体形状の本体の内部にバッテリーを備えるとともに、本体の表面に太陽電池パネルを装着し、さらに本体の端部に充電コネクタを設けたものである。そして、太陽電池パネルが太陽光エネルギーを受けると、そのエネルギーが電気エネルギーに変換され、本体の内部のバッテリーに蓄電されるようになっている。したがって、充電コネクタを携帯電話機等の携帯電子機器の充電端子に接続することにより、携帯電子機器のバッテリーに充電することができる。
【０００４】
図３は従来の携帯電子機器用充電器のアダプターユニットを示し、二次電池を内蔵した本体1の上面には太陽電池パネル２が装着されている。本体１の一端部にはスイッチ３および出力端子４が設けられている。本体１の他端部にはソーラーランプ５、蓄電ランプ６、入力端子７およびＵＳＢ出力端子８が設けられている。
【０００５】
また、付属部品として、両端部にコネクタ９ａ，９ｂを有するＵＳＢケーブル９と、両端部にコネクタ１０ａ，１０ｂを有する出力ケーブル１０が設けられている。さらに、携帯電話機の機種によって入力端子１１の形態が異なるため、どの機種の携帯電話機にも対応できるように、例えば３種類のアダプタージャック１２ａ，１２ｂ、１２ｃが設けられている。
【０００６】
そして、本体１の二次電池は太陽電池パネル２が太陽光を受けることにより自動的に充電できるが、図４に示すように、パソコン１３のＵＳＢ端子１４と本体１の入力端子７とをＵＳＢケーブル９によって接続することにより、二次電池に充電することができる。また、図５に示すように、本体１の出力端子４と携帯電話機１５とを出力ケーブル１０によって接続することにより、本体１の二次電池に充電しながら携帯電話機１５に充電することができる。この場合、携帯電話機１５の機種によってアダプタージャック１２ａ，１２ｂ、１２ｃのうち１種類を選択して出力ケーブル１０のコネクタ１０ａに接続する必要がある。
【０００７】
また、図６に示すように、本体１によって携帯電話機１５に充電する際には、本体１の出力端子４に出力ケーブル１０のコネクタ１０ｂを接続するとともに、コネクタ１０ａに携帯電話機１５の機種によってアダプタージャック１２ａ，１２ｂ、１２ｃのうち１種類を選択して接続し、このアダプタージャック１２ａ，１２ｂ、１２ｃのうち１種類を介して携帯電話機１５に接続する。
【特許文献１】特許第３５８０８０６号公報
【発明の開示】
【発明が解決しようとする課題】
【０００８】
しかしながら、特許文献１に示す携帯電話機用充電器は、太陽電池パネルのみで蓄電しているため蓄電に時間がかかり、緊急時には対応できないという問題がある。また、図３に示す携帯電子機器用充電器のアダプターユニットは、付属部品としてＵＳＢケーブル９、出力ケーブル１０および異なる機種の携帯電話機にも対応できるように複数種類のアダプタージャック１２ａ，１２ｂ、１２ｃが必要となり、付属部品が多くなり、充電する際の接続操作が煩雑であるという問題がある。
【０００９】
本発明は、前記事情に着目してなされたもので、その目的とするところは、複数種類のアダプタージャックが不要となり、充電する際の接続操作が簡単で、安価な携帯電子機器用充電器を提供することにある。
【課題を解決するための手段】
【００１０】
本発明は、前述した目的を達成するために、請求項１は、携帯電話機、携帯ゲーム機、デジタルカメラ等の携帯電子機器に充電するための携帯電子機器用充電器において、二次電池を内蔵した充電器本体と、前記充電器本体に設けられ、前記二次電池に充電するための太陽電池パネルと、前記充電器本体に設けられた充電ユニットとからなり、前記充電ユニットに、ＡＣアダプターのコネクタと接続されるＡＣコネクタ受け口、ＵＳＢケーブルのコネクタと接続されるＵＳＢコネクタ受け口、複数種類の携帯電子機器のコネクタ受け口と接続される複数の携帯電子機器用コネクタを設けたことを特徴とする。
【００１１】
請求項２は、請求項１の前記ＡＣコネクタ受け口およびＵＳＢコネクタ受け口は、前記充電ユニットの側壁から没入して設けれ、複数の携帯電子機器用コネクタは、前記充電ユニットの側壁から突出して設けられていることを特徴とする。
【００１２】
請求項３は、請求項１または２の前記充電ユニットの側壁から没入して設けられている前記ＡＣコネクタ受け口およびＵＳＢコネクタ受け口は、前記充電ユニットの側壁から突出している前記携帯電子機器用コネクタと隣接して設けられ、前記充電ユニットの側壁から突出して設けられている複数の携帯電子機器用コネクタは前記充電ユニットの別の側壁に設けられていることを特徴とする。
【発明の効果】
【００１３】
本発明によれば、充電ユニットに充電しようとする携帯電子機器を直接接続するだけでよく、複数種類のアダプタージャックが不要となり、充電する際の接続操作が簡単であり、また安価に提供できるという効果がある。
【発明を実施するための最良の形態】
【００１４】
以下、本発明の実施の形態を図面に基づいて説明する。
【００１５】
図１および図２は携帯電話機、携帯ゲーム機、デジタルカメラ等の携帯電子機器に充電するための携帯電子機器用充電器を示し、充電器本体２１は矩形箱状で、内部には二次電池（図示しない）が設けられ、上面には太陽電池パネル２２が装着されている。充電器本体２１の端面には充電ユニット２４が一体的に設けられている。
【００１６】
充電ユニット２４は、例えば縦５０ｍｍ、横３０ｍｍ、厚さ１０ｍｍの矩形箱状で、充電ユニット２４の一側壁２４ａにはＡＣコネクタ受け口２７が設けられ、これと対称的に他側壁２４ｂにはＵＳＢコネクタ受け口２８が設けられている。ＡＣコネクタ受け口２７はＡＣアダプター２９のコネクタ２９ａと着脱可能に接続されるように一側壁２４ａから没入して設けられている。ＵＳＢコネクタ受け口２８はＵＳＢケーブル３０のコネクタ３０ａと着脱可能に接続されるように他側壁２４ｂから没入して設けられている。
【００１７】
充電ユニット２４の一側壁２４ａには携帯電子機器、例えば携帯電話機３１のコネクタ受け口３１ａと接続される携帯電話機用コネクタ３２が設けられ、これと対称的に例えば携帯ゲーム機器、デジタルカメラ等の携帯機器３３のコネクタ受け口３３ａと接続される携帯機器用コネクタ３４が設けられている。
【００１８】
携帯電話機用コネクタ３１は、ＡＣコネクタ受け口２７と隣接して配置され、しかも携帯電話機３０のコネクタ受け口３０ａと直接接続されるように一側壁２４ａから突出して設けられている。携帯機器用コネクタ３４は、ＵＳＢコネクタ受け口２８と隣接して配置され、しかも携帯機器３３のコネクタ受け口３３ａと直接接続されるように他側壁２４ｂから突出して設けられている。
【００１９】
したがって、充電ユニット２４の一側壁２４ａには携帯電話機用コネクタ３１とＡＣコネクタ受け口２７とが離間して隣接して設けられ、他側壁２４ｂには携帯機器用コネクタ３４とＵＳＢコネクタ受け口２８とが離間して隣接して設けられている。そして、これら携帯電話機用コネクタ３２、ＡＣコネクタ受け口２７、携帯機器用コネクタ３４およびＵＳＢコネクタ受け口２８は、充電ユニット２４の出力端子２５と電気的に配線接続されている。
【００２０】
前記実施形態によれば、充電器本体２１の二次電池は太陽電池パネル２２が太陽光を受けることにより自動的に充電できる。また、充電器本体２１の二次電池をＡＣ電源によって充電する際には、ＡＣコネクタ受け口２７にＡＣアダプター２９のコネクタ２９ａを接続することにより、充電ユニット２４を介して充電器本体２１の二次電池を充電できる。また、パソコンのＵＳＢ端子と充電ユニット２４のＵＳＢコネクタ受け口２８とをＵＳＢケーブル３０によって接続することにより、二次電池に充電することもできる。
【００２１】
また、携帯電話機３１のバッテリーを充電する際には、携帯電話機３１のコネクタ受け口３１ａを充電ユニット２４の携帯電話機用コネクタ３２に直接接続することにより、携帯電話機３１に充電することができる。さらに、携帯ゲーム機、デジタルカメラ等の携帯電子機器３３のバッテリーを充電する際には、携帯電子機器３３のコネクタ受け口３３ａを充電ユニット２４の携帯機器機用コネクタ３４に直接接続することにより、携帯電子機器３３に充電することができる。この場合、従来のように、接続ケーブルを介して携帯電話機３１や携帯電子機器３３を充電ユニット２４に接続する必要がなく、直接コネクタに接続できるため、煩雑な接続作業が不要となり、接続ミスも防止できる。
【００２２】
なお、前記実施形態においては、１機種の携帯電話機３１および１機種の携帯電子機器３３に充電する専用の充電ユニット２４について説明したが、携帯電話機３１の機種、携帯機器３３の機種によってコネクタ受け口３１ａ、３３ａが異なる。したがって、携帯電話機３１および携帯電子機器３３の機種によって携帯電話機用コネクタ３２および携帯機器用コネクタ３４が異なる複数種類の充電ユニット２４を用意することにより、ユーザーの要望に対応できる。
【００２３】
また、前記実施形態においては、充電器本体２１に充電ユニット２４を一体的に設けたが、コネクタ結合して着脱できるようにしてもよい。また、充電器本体２１の一側壁２４ａにＡＣコネクタ受け口２７と携帯電話機用コネクタ３２を設け、他側壁２４ｂにＵＳＢコネクタ受け口２８と携帯機器用コネクタ３４を設けたが、この配置は一例を示したに過ぎず、適宜変更可能である。
【００２４】
なお、本発明は前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組み合わせてもよい。
【図面の簡単な説明】
【００２５】
【図１】本発明の第１の実施形態を示す携帯電子機器用充電器の平面図。
【図２】同実施形態を示し、携帯電子機器用充電器の側面図。
【図３】従来の携帯電子機器用充電器のアダプターユニットの説明図。
【図４】従来の携帯電子機器用充電器のアダプターユニットの使用状態の説明図。
【図５】従来の携帯電子機器用充電器のアダプターユニットの使用状態の説明図。
【図６】従来の携帯電子機器用充電器のアダプターユニットの使用状態の説明図。
【符号の説明】
【００２６】
２１…充電器本体、２２…太陽電池パネル、２４…充電ユニット、２７…ＡＣコネクタ受け口、２８…ＵＳＢコネクタ受け口、３２…携帯電話機用コネクタ、３４…携帯機器用コネクタ３４
【図１】
2010104155.tif 000003
【図２】
2010104155.tif 000004
【図３】
2010104155.tif 000005
【図４】
2010104155.tif 000006
【図５】
2010104155.tif 000007
【図６】
2010104155.tif 000008